(57)【要約】【課題】配送荷物に関連した情報書類を封入し、配送伝票を貼り付けて配送荷物に貼付される伝票封筒を提供する。【解決手段】伝票封筒１０は、配送荷物６０に関連した情報書類６１を封入して配送荷物６０に貼付される封筒であって、第１の封筒基材部２１、封緘補助基材部２２及び第１の封緘基材部２３を有した第１のシート状基材２０と、第２の封筒基材部３１及び第２の封緘基材部３２を有した第２のシート状基材３０と、袋状のポケット部を形成するように、第１及び第２の封筒基材部２１、３１を貼り合わせる接着層４０と、第１の封緘基材部２３に設けられた封緘接着層４１とを備え、第１の封緘基材部２３を折り返して、第２の封緘基材部３２と封緘接着層４１で接着することにより、袋状のポケット部の開口部を封緘する。【選択図】図１
2008037485.tif 000002
【特許請求の範囲】
【請求項１】
配送荷物に関連した情報書類を封入して配送荷物に貼付される伝票封筒であって、
第１の封筒基材部、封緘補助基材部及び第１の封緘基材部を有した第１のシート状基材と、
第２の封筒基材部及び第２の封緘基材部を有した第２のシート状基材と、
袋状のポケット部を形成するように、前記第１及び第２の封筒基材部を貼り合わせる接着層と、
前記第１の封緘基材部に設けられた封緘接着層とを備え、
前記第１の封緘基材部を折り返して、前記第２の封緘基材部と前記封緘接着層で接着することにより、前記袋状のポケット部の開口部を封緘すること、
を特徴とする伝票封筒。
【請求項２】
請求項１に記載の伝票封筒において、
前記第２のシート状基材は、前記第２の封筒基材部と前記第２の封緘基材部との間に開封線を備えること、
を特徴とする伝票封筒。
【請求項３】
請求項１又は請求項２に記載の伝票封筒において、
前記第１のシート状基材は、前記第１の封筒基材部と前記封緘補助基材部との間に開封線を備えること、
を特徴とする伝票封筒。
【請求項４】
請求項２又は請求項３に記載の伝票封筒において、
前記第１のシート状基材及び／又は前記第２のシート状基材は、前記開封線沿いに切り欠き孔を備えること、
を特徴とする伝票封筒。
【請求項５】
請求項１から請求項４までのいずれか１項に記載の伝票封筒において、
前記第１の封筒基材部及び／又は前記封緘補助基材部は、前記配送荷物に貼付する封筒接着層を備えること、
を特徴とする伝票封筒。
【請求項６】
配送荷物に関連した情報書類を封入し、配送伝票を貼り付けて配送荷物に貼付される伝票封筒であって、
第１の封筒基材部及び第１の封緘基材部を有した第１のシート状基材と、
袋状のポケット部を形成するように、前記第１の封筒基材部と接着層により貼り合わされる第２のシート状基材とを備え、
前記配送伝票を、前記第１の封緘基材部と前記第２のシート状基材とを、跨ぐように貼付することにより、前記袋状のポケット部の開口部を封緘すること、
を特徴とする伝票封筒。
【請求項７】
請求項６に記載の伝票封筒において、
前記第１のシート状基材は、前記配送荷物に貼付する封筒接着層を備えること、
を特徴とする伝票封筒。
【請求項８】
請求項６又は請求項７に記載の伝票封筒において、
前記配送伝票は、前記袋状のポケット部の開口部に重なる位置に、開封線を備えること、
を特徴とする伝票封筒。
【請求項９】
請求項６から請求項８までのいずれか１項に記載の伝票封筒において、
前記第１の封緘基材部及び／又は前記第２のシート状基材は、前記配送伝票を所定の位置に貼り合わせる位置合わせマークを備えること、
を特徴とする伝票封筒。
【発明の詳細な説明】
【技術分野】
【０００１】
本発明は、配送荷物に貼付する伝票封筒に関するものである。
【背景技術】
【０００２】
主に企業間の配送に使用される伝票は、企業消費者間や消費者間の配送に使用される伝票とは異なる場合が多い。例えば、家電メーカから小売業者に、家電製品を出荷・納品する場合は、納品書が必要であり、複数口配送となることが多く、また、製品を箱に梱包された状態で販売するために、箱も商品の一部と考えられており、配送時の箱の開梱を避ける必要があるなどの制約がある。
一方、企業消費者間に該当する通信販売の配送の場合は、届け先ごとに注文内容が異なるので、注文リストを確認して製品を箱に入れる。このときに、製品の納品書や明細書も製品とともに箱に入れるので、前述したような納品書等を入れるために箱を開梱するような作業は発生しない。
【０００３】
そこで、家電製品等の企業間の配送の場合は、通常は納品書を納めるためのタック紙付きの封筒を用意し、その中に納品書を同封し、その封筒に配送伝票を貼り込む方法が一般的である。企業消費者間の場合でも、例えば、りんごの産地直送や、水のケース売り、通信販売による家電製品の場合は、箱を開梱せずに納品書を同送するために、同じような方法を取る場合があるが、納品書の取り忘れを防止するために、封筒に透明ビニルを使用する場合が多い。これに対して、家電等を企業間で配送する場合では、納品書に卸値などの重要な情報が記載されている場合があるので、隠蔽機能を有さない透明ビニルを使用した封筒の使用は避ける必要がある。また、配送人、荷受人ともに企業の専門の担当者であるので、納品書を取り忘れる危険性も少なく、更に、封筒のコスト低減も勘案して、紙で形成された封筒が望まれる（例えば、特許文献１）。
【０００４】
特許文献１の封筒や、図８に示すような従来使用されてきた封筒１００は、袋上用紙１０１と袋下用紙１０２とを、接着層１０１−１により袋状のポケットを形成するように貼り合わされている。袋下用紙１０２の端部には、封緘基材部１０２−１を連接している。図８に示す封筒１００は、配送荷物に封筒１００を貼るためのタック紙１０３が、袋下用紙１０２の接着層１０４により接着されている。封筒１００は、納品書を取り出すときは、袋上用紙１０１及び袋下用紙１０２の封緘部を、ミシン目１０５で切り離して開封することができる。仮に、袋下用紙１０２が全面でタック紙１０３と接着されていると、袋下用紙１０２のミシン目１０５が切り離せなくなるので、納品書の出し入れを容易にするために、袋下用紙１０２とタック紙１０３とを別紙にして、ミシン目１０５を避けて接着層１０４を設けている。また、この構成では、タック紙の粘着強度を、用途や被着体の貼付面の状態によって自由に変更できるので、上述の透明ビニル方式の封筒よりも自由度が高い。
【０００５】
しかし、封筒１００の構成では、使用する資材も多く、また、袋上用紙１０１、袋下用紙１０２、タック紙１０３をそれぞれ貼り合わせる工程を要し、更に、袋下用紙１０２には封緘用の両面テープ１０６を用意する必要がある。そのために、材料費が高くなったり、生産工程が増えたりするなどの問題があった。
【特許文献１】特開２００１−０５５２４０号公報
【発明の開示】
【発明が解決しようとする課題】
【０００６】
本発明の課題は、使用する資材及び生産工程を減少させて安価に作製される伝票封筒を提供することである。
【課題を解決するための手段】
【０００７】
本発明は、以下のような解決手段により、前記課題を解決する。なお、理解を容易にするために、本発明の実施形態に対応する符号を括弧内に付して説明するが、これに限定されるものではない。
請求項１の発明は、配送荷物（６０）に関連した情報書類（６１）を封入して配送荷物（６０）に貼付される伝票封筒（１０）であって、第１の封筒基材部（２１）、封緘補助基材部（２２）及び第１の封緘基材部（２３）を有した第１のシート状基材（２０）と、第２の封筒基材部（３１）及び第２の封緘基材部（３２）を有した第２のシート状基材（３０）と、袋状のポケット部を形成するように、前記第１及び第２の封筒基材部（２１、３１）を貼り合わせる接着層（４０）と、前記第１の封緘基材部（２３）に設けられた封緘接着層（２３−１）とを備え、前記第１の封緘基材部（２３）を折り返して、前記第２の封緘基材部（３２）と前記封緘接着層（２３−１）で接着することにより、前記袋状のポケット部の開口部を封緘することを特徴とする伝票封筒（１０）である。
【０００８】
請求項２の発明は、請求項１に記載の伝票封筒（１０）において、前記第２のシート状基材（３０）は、前記第２の封筒基材部（３１）と前記第２の封緘基材部（３２）との間に開封線（３３）を備えることを特徴とする伝票封筒（１０）である。
【０００９】
請求項３の発明は、請求項１又は請求項２に記載の伝票封筒（１０）において、前記第１のシート状基材（２０）は、前記第１の封筒基材部（２１）と前記封緘補助基材部（２２）との間に開封線（２４）を備えることを特徴とする伝票封筒（１０）である。
【００１０】
請求項４の発明は、請求項２又は請求項３に記載の伝票封筒（１０）において、前記第１のシート状基材（２０）及び／又は前記第２のシート状基材（３０）は、前記開封線（２４、３３）沿いに切り欠き孔（３４）を備えることを特徴とする伝票封筒（１０）である。
【００１１】
請求項５の発明は、請求項１から請求項４までのいずれか１項に記載の伝票封筒（１０）において、前記第１の封筒基材部（２１）及び／又は前記封緘補助基材部（２２）は、配送荷物に貼付する封筒接着層（２１−１）を備えることを特徴とする伝票封筒（１０）である。
【００１２】
請求項６の発明は、配送荷物（６０）に関連した情報書類（６１）を封入し、配送伝票（５０）を貼り付けて配送荷物（６０）に貼付される伝票封筒（１０）であって、第１の封筒基材部（２１）及び第１の封緘基材部（２３）を有した第１のシート状基材（２０）と、袋状のポケット部を形成するように、前記第１の封筒基材部（２１）と接着層（４０）により貼り合わされる第２のシート状基材（３０）とを備え、前記配送伝票（５０）を、前記第１の封緘基材部（２３）と前記第２のシート状基材（３０）とを、跨ぐように貼付することにより、前記袋状のポケット部の開口部を封緘することを特徴とする伝票封筒（１０）である。
【００１３】
請求項７の発明は、請求項６に記載の伝票封筒（１０）において、前記第１のシート状基材（２０）は、配送荷物に貼付される封筒接着層（２１−１）を備えることを特徴とする伝票封筒（１０）である。
【００１４】
請求項８の発明は、請求項６又は請求項７に記載の伝票封筒（１０）において、前記配送伝票（５０）は、前記袋状のポケット部の開口部に重なる位置に、開封線（５１）を備えることを特徴とする伝票封筒（１０）である。
【００１５】
請求項９の発明は、請求項６から請求項８までのいずれか１項に記載の伝票封筒（１０）において、前記第１の封緘基材部（２３）及び／又は前記第２のシート状基材（３０）は、前記配送伝票（５０）を所定の位置に貼り合わせる位置合わせマーク（２５）を備えることを特徴とする伝票封筒（１０）である。
【発明の効果】
【００１６】
以上説明したように、本発明によれば、以下のような効果がある。
（１）伝票封筒は、袋状のポケットを接着層、第１及び第２のシート状基材により形成し、封緘接着層を有した第１の封緘基材部と、第２の封緘基材部により、袋状のポケット部の開口部を封緘するので、使用する基材及び接着層を減らし、生産工程を減少させることにより、安価に伝票封筒を作製することができる。
（２）第２のシート状基材は、第２の封筒基材部と第２の封緘基材部との間に開封線を備えているので、封緘された伝票基材を容易に開封することができる。
（３）第１のシート状基材は、第１の封筒基材部と封緘補助基材部との間に開封線を備えているので、封緘された伝票基材を容易に開封することができる。
【００１７】
（４）第１のシート状基材及び／又は第２のシート状基材は、開封線沿いに切り欠き孔を備えているので、情報書類を容易に、伝票封筒から取り出すことができ、また、開封線の切断を容易にすることができる。
（５）第１の封筒基材部及び／又は封緘補助基材部は、封筒接着層を備えているので、伝票封筒を配送荷物に、容易に貼付することができる。
（６）伝票封筒は、袋状のポケットを接着層、第１及び第２のシート状基材により形成し、第１の封緘基材部と第２のシート状基材部を跨ぐようにして、配送伝票を貼り合わせることにより、ポケット部の開口部を封緘するので、使用する基材及び接着層を減らし、生産工程を減少させることにより、安価に伝票封筒を作製することができる。
【００１８】
（７）第１のシート状基材は、封筒接着層を備えているので、伝票封筒を配送荷物に、容易に貼付することができる。
（８）配送伝票は、袋状のポケット部の開口部と重なる位置に、開封線を備えているので、封緘された伝票封筒を、容易に開封することができる。
（９）第１の封緘基材部及び／又は第２のシート状基材は、配送伝票を所定の位置に貼り合わせる位置合わせマークを備えているので、配送伝票を、第１の封緘基材部及び第２のシート状基材部の所定の位置に貼付することができ、また、配送伝票の開封線の位置を、伝票封筒のポケット部の開口部に合わせることができる。
【発明を実施するための最良の形態】
【００１９】
本発明は、使用する資材及び生産工程を減少させて安価に作製される伝票封筒を提供するという目的を、第１及び第２の封緘基材部を有した第１及び第２のシート状基材を、袋状のポケット部を形成するように接着層で接着することにより実現する。
【実施例１】
【００２０】
以下、図面等を参照して、本発明の実施例をあげて、さらに詳しく説明する。
図１は、本発明による実施例１の伝票封筒の詳細を示す図であり、図１（Ａ）に平面図、図１（Ｂ）に側面図を示す。図２は、実施例１の伝票封筒の使用状況に応じた形態の変化を示す図である。
伝票封筒１０は、表面に配送伝票５０を貼り付けて（図２参照）、配送荷物６０である製品の納品書６１を封入した状態で、配送荷物６０に貼付される封筒であり、製品のメーカと小売業者との間における、製品の配送に使用される。伝票封筒１０は、図１に示すように、第１のシート状基材２０、第２のシート状基材３０及び接着層４０から構成される。
【００２１】
第１のシート状基材２０は、第１の封筒基材部２１、封緘補助基材部２２及び第１の封緘基材部２３から形成される。第１のシート状基材２０は、第１の封筒基材部２１及び封緘補助基材部２２の裏面には、封筒接着層２１−１を介して封筒剥離基材部２１−２が剥離可能に接着され、第１の封緘基材部２３の裏面には、封緘接着層２３−１を介して封緘剥離基材部２３−２が剥離可能に接着されたタック紙である。
第１の封筒基材部２１は、表面の三周辺に接着層４０を備え、伝票封筒１０の袋状のポケット部を形成する紙片である。
封筒接着層２１−１は、伝票封筒１０を配送荷物に貼付するために設けられた剥離不可能な接着剤である。
封筒剥離基材２１−２は、封筒接着層２１−１の接着面を保護する剥離紙である。
【００２２】
封緘補助基材部２２は、第１の封筒基材部２１及び第１の封緘基材部２３に連接した伝票封筒１０の封緘部の紙片である。
第１の封緘基材部２３は、折れ線２４を挟んで封緘補助基材部２２に連接し、裏面の封緘接着層２３−１により、伝票封筒１０の袋状のポケット部を封緘する紙片である。
封緘接着層２３−１は、封筒接着層２１−１と同種の剥離不可能な接着剤である。
封緘剥離基材２３−２は、封緘接着層２３−１の接着面を保護する剥離紙である。
折れ線２４は、封緘補助基材部２２と第１の封緘基材部２３との間に設けられたミシン目である。
【００２３】
第２のシート状基材３０は、開封線３３を挟んで第２の封筒基材部３１及び第２の封緘基材部３２を形成した上質紙である。
第２の封筒基材部３１は、第１の封筒基材部２１に接着層４０で接着されることにより、伝票封筒１０の袋状のポケット部を形成する紙片である。また、第２の封筒基材部３１の開封線３３沿いの一部に切り欠き孔３４が設けられている。
第２の封緘基材部３２は、第１の封緘基材部２３に封緘接着層２３−１で接着されることにより、伝票封筒１０の袋状のポケット部の開口部を封緘する紙片である。
【００２４】
開封線３３は、封緘された伝票封筒１０を開封するために設けられたミシン目である。
切り欠き孔３４は、伝票封筒１０に対する納品書６１の取り出しと、封緘された伝票封筒１０の開封線３３の切り離しとを容易にするために設けられた孔である。
接着層４０は、剥離不可能な強接着剤である。
配送伝票５０は、表面に配送先、配送元などの情報を記入する情報記入欄５１が設けられ、裏面に接着剤を設けたラベル式の伝票である。
配送荷物６０は、メーカにより製造され、小売業者に出荷される製品である。
納品書６１は、配送荷物６０として運ばれる製品の詳細が記載された書類である。
【００２５】
次に、伝票封筒１０の使用方法について説明する。
まず、配送元（メーカ）は、配送伝票５０の情報記入欄５１に必要事項を記入して、図２（Ａ）に示すように、第２の封筒基材部３１の表面に配送伝票５０を貼り付けて（矢印Ａ）、納品書６１を、伝票封筒１０に挿入する（矢印Ｂ）。次に、図２（Ｂ）に示すように、第２の封緘基材部３２と封緘補助基材部２２との間に、第１の封緘基材部２３を折り返して挟み（矢印Ｃ）、第１の封緘基材部２３から封緘剥離基材部２３−２を剥がす（矢印Ｄ）。続いて、図２（Ｃ）に示すように、封緘接着層２３−１を介して第１の封緘基材部２３と第２の封緘基材部３２とを貼り合わせ（矢印Ｅ）、伝票封筒１０のポケット部の開口部を封緘する。
【００２６】
封緘した伝票封筒１０は、封筒剥離基材２１−２を剥がして配送荷物６０に貼付され（矢印Ｆ）、配送業者により配送先（小売業者）へと配送される。配送荷物６０を受け取った小売業者は、開封線３３により、封緘された伝票封筒１０を開封し、納品書６１を取り出して内容を確認する。このときに、開封線３３の一部に切り欠き孔３４が設けられているので、開封線３３の切断と、納品書６１の取り出しを容易に行うことができる。
【００２７】
以上より、実施例１の伝票封筒には以下のような効果がある。
（１）伝票封筒１０は、袋状のポケットを接着層４０、第１及び第２のシート状基材２０、３０により形成し、封緘接着層２３−１を有した第１の封緘基材部２３と第２の封緘基材部３２により、袋状のポケット部の開口部を封緘するので、使用する基材及び接着層を減らし、生産工程を減少させることにより、安価に伝票封筒１０を作製することができる。
（２）第２のシート状基材３０は、第２の封筒基材部３１と第２の封緘基材部３２との間に開封線３３を備えているので、封緘された伝票封筒１０を容易に開封することができる。
【００２８】
（３）第２のシート状基材３０は、開封線３３沿いに切り欠き孔３４を備えているので、納品書６１を容易に、伝票封筒１０から取り出すことができ、また、開封線３３の切断を容易にすることができる。
（４）第１の封筒基材部２１及び封緘補助基材部２２は、裏面に封筒接着層２１−１を備えているので、伝票封筒１０を、配送荷物６０に容易に貼付することができる。
（５）第１のシート状基材２０は、タック紙を用いているので、第１のシート状基材２０に封筒接着層２１−１及び封緘接着層２３−１を容易に形成することができ、伝票封筒１０を、安価に作製することができる。
【実施例２】
【００２９】
図３は、本発明による実施例２の伝票封筒及び配送伝票の詳細を示す図であり、図３（Ａ）、（Ｂ）に伝票封筒の平面図、側面図を示し、図３（Ｃ）に伝票封筒に貼付する配送伝票の詳細を示す。図４は、実施例２の伝票封筒の使用状況に応じた形態の変化を示す図である。なお、前述した実施例１と同様な機能を果たす部分には、同一の符号又は末尾に統一した符号を付して、重複する説明や図面を適宜省略する。
伝票封筒１０−２は、実施例１と同様に、表面に配送伝票５０を貼り付けて、配送荷物６０の納品書６１を封入した状態で配送荷物６０に貼付される封筒であり、製品のメーカと小売業者との間における、製品の配送に使用される。伝票封筒１０−２は、図３（Ａ）、（Ｂ）に示すように、第１のシート状基材２０、第２のシート状基材３０及び接着層４０から構成される。
【００３０】
第１のシート状基材２０は、第１の封筒基材部２１及び第１の封緘基材部２３から形成され、裏面に、封筒接着層２１−１を介して封筒剥離基材部２１−２が剥離可能に接着されたタック紙である。
第１の封緘基材部２３は、第１の封筒基材部２１に連接し、表面に配送伝票５０を貼付するための位置合わせマーク２５が印刷された伝票封筒１０の封緘紙片である。
位置合わせマーク２５は、後述の配送伝票５０の開封線５２が、伝票封筒１０の袋状のポケット部の開口部に重なるように、第１の封緘基材部２３上に設けられた目印である。
【００３１】
第２のシート状基材３０は、第１の封筒基材部２１に接着層４０で接着されることにより、伝票封筒１０の袋状のポケット部を形成する上質紙である。
配送伝票５０は、図３（Ｃ）に示すように、表面に配送先、配送元などの情報記入欄５１が設けられ、裏面に接着剤を設けたラベル式の伝票である。また、封緘された伝票封筒１０の開封を容易にするために、開封線５２が設けられている。
開封線５２は、配送伝票５０上に設けられたミシン目である。
【００３２】
次に、伝票封筒１０−２の使用方法について説明する。
まず、配送元（メーカ）は、図４（Ａ）に示すように、納品書６１を、伝票封筒１０に挿入する（矢印Ｇ）。次に、配送伝票５０の情報記入欄５１に必要事項を記入して、第１の封緘基材部２３の位置合わせマーク２５に合わせて、配送伝票５０を、第１の封緘基材部２３と第２のシート状基材部３０を跨ぐようにして貼り付けて（矢印Ｈ）、伝票封筒１０の袋状のポケット部の開口部を封緘する。
【００３３】
封緘した伝票封筒１０は、図４（Ｂ）に示すように、配送荷物６０に貼付されて（矢印Ｉ）、配送業者により配送先（小売業者）へと配送される。配送荷物６０を受け取った小売業者は、配送伝票５０に設けられた開封線５２により、封緘された伝票封筒１０を開封し、納品書６１を取り出して内容を確認する。
【００３４】
以上より、実施例２の伝票封筒には、前述した実施例１の効果に加え、以下のような効果がある。
（１）伝票封筒１０は、袋状のポケットを接着層４０、第１及び第２のシート状基材２０、３０により形成し、第１の封緘基材部２３と第２のシート状基材部３０を跨ぐようにして、配送伝票５０を貼り合わせることにより、ポケット部の開口部を封緘するので、使用する基材及び接着層を減らし、生産工程を減少させることにより、安価に伝票封筒１０を作製することができる。
（２）第１のシート状基材２０は、裏面に封筒接着層２１−１を備えているので、伝票封筒１０を配送荷物６０に、容易に貼付することができる。
【００３５】
（３）配送伝票５０は、袋状のポケット部の開口部と重なる位置に、開封線５２を備えているので、封緘された伝票封筒１０を、容易に開封することができる。
（４）第１の封緘基材部２３は、配送伝票５０を所定の位置に貼り合わせる位置合わせマーク２５を備えているので、配送伝票５０を、第１の封緘基材部２３及び第２のシート状基材部３０の所定の位置に貼付することができ、また、配送伝票５０の開封線５２の位置を、伝票封筒１０のポケット部の開口部に合わせることができる。
【００３６】
（変形例）
以上説明した実施例に限定されることなく、種々の変形や変更が可能であって、それらも本発明の均等の範囲内である。
（１）実施例２では、配送伝票５０は、開封線５２を設けていたが、設けなくてもよい。例えば、配送伝票５０を伝票封筒１０に、再剥離可能に接着することで、開封機能を備えることも可能である。
（２）各実施例では、接着層４０は、第１の封筒基材部２１の表面の三周辺に形成されたが、三周辺の全域に設けなくてもよい。例えば、図５に示すように、納品書６１が伝票封筒１０から脱落しない程度に接着層４０を設けることも可能であり、また、このようにすることで、接着層４０の使用量を減少させ、伝票封筒１０の資材コストを低減させることができる。
【００３７】
（３）各実施例では、伝票封筒１０は、短辺が開口部となるように形成されていたが、図６に示すように、長辺が開口部となるように形成してもよい。
（４）実施例１では、開封線３３は、第２のシート状基材３０に設けられたが、第１のシート状基材２０及び第２のシート状基材３０に、又は、第１のシート状基材２０のみに設けてもよい。例えば、図７に示すように、開封線３３を第１及び第２のシート状基材２０、３０の両方に設けることにより、封緘補助基材部２２、第１及び第２の封緘基材部２３、３２を一体で切り離すことも可能である。ただし、この場合は、開封の容易性を保つために、第１の封筒基材部２１の裏面にのみ、封筒接着層２１−１を形成する必要がある。また、切り欠き孔３４も開封線３３に応じて、第２の封筒基材部３１だけでなく、それ以外の基材部に、複数箇所に設けることも可能である。
【図面の簡単な説明】
【００３８】
【図１】本発明による実施例１の伝票封筒の詳細を示す図である。
【図２】本発明による実施例１の伝票封筒の使用状況に応じた形態の変化を示す図である。
【図３】本発明による実施例２の伝票封筒及び配送伝票の詳細を示す図である。
【図４】本発明による実施例２の伝票封筒の使用状況に応じた形態の変化を示す図である。
【図５】本発明による変形例を示す図である。
【図６】本発明による変形例を示す図である。
【図７】本発明による変形例を示す図である。
【図８】本発明による従来例を示す図である。
【符号の説明】
【００３９】
１０  伝票封筒
２０  第１のシート状基材
２１  第１の封筒基材部
２２  封緘補助基材部
２３  第１の封緘基材部
３０  第２のシート状基材
３１  第２の封筒基材部
３２  第２の封緘基材部
４０  接着層
【図１】
2008037485.tif 000003
【図２】
2008037485.tif 000004
【図３】
2008037485.tif 000005
【図４】
2008037485.tif 000006
【図５】
2008037485.tif 000007
【図６】
2008037485.tif 000008
【図７】
2008037485.tif 000009
【図８】
2008037485.tif 000010